(57)【特許請求の範囲】
【請求項１】
アームレストのロックを解除して使用状態に可動させるアームレストの操作ノブ装置であって、
操作ノブを備えたノブ本体と、
前記ノブ本体の周囲に配置され、第１開口部から前記操作ノブを露出させる第１ケースと、を備え、
前記第１ケースは、前記第１開口部の下縁部の下部領域から前記ノブ本体に向かって突出する複数のケース突起を備え、
前記ノブ本体は、前記第１ケースの前記下部領域に向かって突出する複数の本体突起を備え、
前記複数のケース突起と前記複数の本体突起とは、上方から見て交互に配置され、
前記ケース突起は、上半部の突出高さが下半部の突出高さより低い、
ことを特徴とするアームレストの操作ノブ装置。
【請求項２】
前記本体突起は、前記ノブ本体が上死点に配置された状態において、前記ケース突起より上方に配置されている、
ことを特徴とする請求項１に記載のアームレストの操作ノブ装置。
【請求項３】
上方から見た前記本体突起の幅は、上方から見た前記ケース突起の幅より大きい、
ことを特徴とする請求項１または２に記載のアームレストの操作ノブ装置。
【請求項４】
前記本体突起は、上端部の突出高さが下端部の突出高さより高い、
ことを特徴とする請求項１ないし３のいずれか１項に記載のアームレストの操作ノブ装置。
【請求項５】
前記ケース突起の先端部は、前記本体突起の先端部より、前記ノブ本体の近くに配置されている、
ことを特徴とする請求項１ないし４のいずれか１項に記載のアームレストの操作ノブ装置。
【請求項６】
前記第１ケースの前記第１開口部の周縁部を覆い、第２開口部から前記操作ノブを露出させる第２ケースを備え、
前記本体突起の上端部は、前記第２開口部の下縁部より下方に配置されている、
ことを特徴とする請求項１ないし５のいずれか１項に記載のアームレストの操作ノブ装置。
【発明の詳細な説明】
【技術分野】
【０００１】
本発明は、アームレストの操作ノブ装置に関するものである。
本願は、２０１７年４月１４日に、中国に出願された２０１７１０２４３９３２．２号に基づき優先権を主張し、その内容をここに援用する。
【背景技術】
【０００２】
車両の車室内の後部には、後部座席ユニットが配置されている。後部座席ユニットは、左右座席と、左右座席の間に配置されたアームレストとを備えている。アームレストは、アームレストとしての使用位置と、左右座席のシートバックに並ぶ収納位置との間で、回動可能に形成されている。後部座席ユニットは、アームレストを収納位置に保持するロック機構を備えている。アームレストは、ロック機構のロックを解除する解除装置を備えている（例えば、特許文献１参照）。【０００３】
解除装置の一例として、操作ノブ装置が開発されている。操作ノブ装置は、操作ノブが形成されたノブ本体と、ノブ本体の周囲に配置されてアームレストに固定されるケースとを備えている。ケースは、操作ノブを露出させる開口部を備えている。ケースは、操作による移動が可能な状態にノブ本体を支持する。車両の搭乗者は、ケースの開口部から操作ノブを操作して、ロック機構のロックを解除する。搭乗者は、ロックが解除されたアームレストを収納位置から使用位置に回動する。
【先行技術文献】
【特許文献】
【０００４】
【特許文献１】特開２００５−２８７７２４号公報
【発明の概要】
【発明が解決しようとする課題】
【０００５】
前述したように、ケースは開口部を備えている。またノブ本体は可動部材であるため、ノブ本体とケースとの間には隙間が存在する。そのためコイン等の小物体が、ケースの開口部からこの隙間を通って、操作ノブ装置の内部に落下する可能性がある。操作ノブ装置の内部に落下した小物体は、簡単に取り出すことができない。そのため、小物体の落下を防止することが可能な操作ノブ装置の提供が望まれている。【０００６】
そこで本発明は、小物体の落下を防止することが可能な、アームレストの操作ノブ装置の提供を目的とする。
【課題を解決するための手段】
【０００７】
上記課題を解決するため、本発明のアームレストの操作ノブ装置は、以下の構成を採用した。
（１）アームレスト（例えば、実施形態におけるアームレスト８）のロックを解除して使用状態に可動させるアームレストの操作ノブ装置（例えば、実施形態における操作ノブ装置１０）であって、操作ノブ（例えば、実施形態における操作ノブ３２）を備えたノブ本体（例えば、実施形態におけるノブ本体３０）と、前記ノブ本体の周囲に配置され、第１開口部（例えば、実施形態における第１開口部５５）から前記操作ノブを露出させる第１ケース（例えば、実施形態におけるインナーケース５０）と、を備え、前記第１ケースは、前記第１開口部の下縁部の下部領域（例えば、実施形態における下部領域５４ａ）から前記ノブ本体に向かって突出する複数のケース突起（例えば、実施形態におけるケース突起６０）を備え、前記ノブ本体は、前記第１ケースの前記下部領域に向かって突出する複数の本体突起（例えば、実施形態における本体突起４０）を備え、前記複数のケース突起と前記複数の本体突起とは、上方から見て交互に配置されている。【０００８】
インナーケースの第１開口部から操作ノブ装置に小物体が入り込む場合がある。この場合でも、交互に配置された複数の本体突起および複数のケース突起が、小物体を受け止める。これにより、ノブ本体とインナーケースとの隙間から操作ノブ装置の内部への小物体の落下を防止できる。【０００９】
（２）前記ケース突起は、上半部（例えば、実施形態における上半部６０Ａ）の突出高さが下半部（例えば、実施形態における下半部６０Ｂ）の突出高さより低い。
上半部の突出高さが低いので、インナーケースの第１開口部を通して、ケース突起が視認されにくくなる。したがって、操作ノブ装置の意匠性が向上する。【００１０】
（３）上方から見た前記本体突起の幅（例えば、実施形態における幅４０ｗ）は、上方から見た前記ケース突起の幅（例えば、実施形態における幅６０ｗ）より大きい。
この場合、隣り合う本体突起の隙間が小さくなる。そのため、インナーケースのケース突起とノブ本体との隙間に小物体が落ち込むのを防止できる。【００１１】
（４）前記本体突起は、上端部（例えば、実施形態における上端先端部４０ａ）の突出高さが下端部（例えば、実施形態における下端先端部４０ｂ）の突出高さより高い。
上端部の突出高さが高いので、本体突起は小物体を確実に受け止める。下端部の突出高さが低いので、ノブ本体３０を軽量化できる。【００１２】
（５）前記ケース突起の先端部（例えば、実施形態における下半部６０Ｂの上端先端部６０ｂ）は、前記本体突起の先端部（例えば、実施形態における上端先端部４０ａ）より、前記ノブ本体の近くに配置されている。
この場合、ケース突起と本体突起との間に、前後方向の隙間が生じない。したがって、小物体の落下を確実に防止できる。【００１３】
（６）前記第１ケースの前記第１開口部の周縁部を覆い、第２開口部（例えば、実施形態における第２開口部２４）から前記操作ノブを露出させる第２ケース（例えば、実施形態におけるアウターケース２０）を備え、前記本体突起の上端部（例えば、実施形態における上端先端部４０ａ）は、前記第２開口部の下縁部（例えば、実施形態における下縁部２５）より下方に配置されている。
本体突起の上端部が下方に配置されるので、アウターケースの第２開口部を通して、本体突起が視認されにくくなる。したがって、操作ノブ装置の意匠性が向上する。
【発明の効果】
【００１４】
本発明によれば、交互に配置された複数の本体突起および複数のケース突起が、小物体を受け止める。これにより、ノブ本体とインナーケースとの隙間から操作ノブ装置の内部への小物体の落下を防止できる。
【図面の簡単な説明】
【００１５】
【図１】車両の後部座席ユニットの斜視図である。
【図２】実施形態におけるアームレストの操作ノブ装置の正面図である。
【図３】ノブ本体の前方からの斜視図である。
【図４】インナーケースの前方からの斜視図である。
【図５】操作ノブ装置の後方からの斜視図である。
【図６】図２のＶＩ−ＶＩ線における断面図である。
【図７】図６のＶＩＩ−ＶＩＩ線におけるインナーケースの断面図である。
【図８】図６のＶＩＩＩ−ＶＩＩＩ線における部分断面図である。
【発明を実施するための形態】
【００１６】
以下、本発明におけるアームレストの操作ノブ装置の一実施形態について、添付図面を参照しながら説明する。
以下の説明で使用するＸ方向、Ｙ方向およびＺ方向は、以下のように定義される。Ｘ方向は車両の前後方向であり、＋Ｘ方向は車両の前方向、−Ｘ方向は車両の後方向である。Ｙ方向は車両の左右方向である。Ｚ方向は車両の上下方向であり、＋Ｚ方向は車両の上方向、−Ｚ方向は車両の下方向である。Ｘ方向、Ｙ方向およびＺ方向は、以上で定義された方向に厳密に一致しなくてもよい。例えば、Ｘ方向は車両の前後方向から上下方向に少し傾斜した方向であってもよい。Ｚ方向は車両の上下方向から前後方向に少し傾斜した方向であってもよい。
【００１７】
図１は、車両の後部座席ユニットの斜視図である。車両の車室の後部には、後部座席ユニット１が配置される。後部座席ユニットは、右座席１ａと、左座席１ｂと、アームレスト８とを備える。左右座席１ａ，１ｂは、シートクッション２と、シートバック４と、ヘッドレスト６とを備える。アームレスト８は、左右座席１ａ，１ｂのシートバック４の間に配置される。アームレスト８は、アームレストとしての使用位置と、左右座席１ａ，１ｂのシートバック４に並ぶ収納位置との間で、回動可能に形成される。アームレスト８は、収納位置に配置された状態で、中央座席１ｃのシートバック４として機能する。後部座席ユニット１は、アームレスト８を収納位置に保持するロック機構（不図示）を備える。アームレスト８は、ロック機構のロックを解除する解除装置として、操作ノブ装置１０を備える。
【００１８】
操作ノブ装置１０は、アームレスト８を収納位置に配置した状態で、アームレスト８の＋Ｘ方向の表面に露出する。操作ノブ装置１０は、中央に操作ノブ３２（図３参照）を備える。車両の搭乗者が操作ノブ３２を−Ｚ方向に引き下げる操作をすると、ロック機構のロックが解除される。これにより、アームレスト８を収納位置から使用位置に回動することができる。
【００１９】
図２は、実施形態におけるアームレストの操作ノブ装置の正面図である。操作ノブ装置１０は、ノブ本体３０と、インナーケース（第１ケース）５０と、アウターケース（第２ケース）２０とを備える。操作ノブ装置１０は、インナーケース５０の取付部５１を介して、アームレストに取り付けられる。
【００２０】
図３は、ノブ本体３０の前方からの斜視図である。ノブ本体３０は、樹脂材料等により一体に形成される。ノブ本体３０は、ベース部３１と、操作ノブ３２と、張出部３４と、を備える。ベース部３１は、＋Ｘ方向から見て矩形状に形成される。操作ノブ３２は、ベース部３１から＋Ｘ方向に突出する。操作ノブ３２は、Ｙ方向に所定幅を有し、＋Ｚ方向から見て略矩形状に形成される。車両の搭乗者は、操作ノブ３２の＋Ｚ方向の表面を押すことにより、操作ノブ３２を−Ｚ方向に引き下げる。張出部３４は、ベース部３１から＋Ｘ方向に張出す。張出部３４は、操作ノブ３２の−Ｚ方向の表面から、ベース部３１の−Ｚ方向の端部にかけて、連続して形成される。
【００２１】
図５は、操作ノブ装置の後方からの斜視図である。ノブ本体３０は、−Ｘ方向に突出する連結部３６および係合部３７を有する。連結部３６は、ロック機構（不図示）に連結される。係合部３７は、インナーケース５０に係合して、ノブ本体３０のＸ方向およびＹ方向の位置を規制する。
【００２２】
図４は、インナーケースの前方からの斜視図である。インナーケース５０は、樹脂材料等により一体に形成される。インナーケース５０は、後壁５２と、側壁５３と、前壁５４とを有する。後壁５２は、ＹＺ平面と平行に配置される。後壁５２は、第１スリット５６と、第２スリット５７とを有する。図５に示すように、第１スリット５６には、ノブ本体３０の連結部３６が挿入される。第２スリット５７には、ノブ本体３０の係合部３７が挿入される。インナーケース５０は、ノブ本体３０をＺ方向に移動可能な状態に支持する。図４に示すように、側壁５３は、後壁５２の周縁部から＋Ｘ方向に立設される。側壁５３には、アームレストへの取付部５１が形成される。
【００２３】
前壁５４は、ＹＺ平面と平行に配置される。前壁５４は、下部領域５４ａと、フランジ領域５４ｂと、第１開口部５５とを有する。下部領域５４ａは、前壁５４の−Ｚ方向（下部）に配置される。下部領域５４ａは、後壁５２との間に所定距離を置いて、後壁５２と対向するように配置される。フランジ領域５４ｂは、前壁５４の＋Ｚ方向（上部）に配置される。フランジ領域５４ｂは、側壁５３の＋Ｘ方向の端部からフランジ状に延出する。第１開口部５５は、前壁５４の中央部に配置される。第１開口部５５は、下部領域５４ａとフランジ領域５４ｂとで囲まれる。すなわち、第１開口部５５の下縁部に下部領域５４ａが配置される。
【００２４】
図６は、図２のＶＩ−ＶＩ線における断面図である。インナーケース５０は、ノブ本体３０の周囲に配置される。インナーケース５０は、第１開口部５５からノブ本体３０を露出させる。ノブ本体３０の操作ノブ３２から−Ｚ方向に向かって、第１バネ支持部３８が形成される。インナーケース５０の側壁５３の底部から＋Ｚ方向に向かって、第２バネ支持部５８が形成される。第１バネ支持部３８と第２バネ支持部５８との間に、バネ部材７０が配置される。バネ部材７０により、ノブ本体３０は、インナーケース５０に対して＋Ｚ方向に付勢される。本願では、ノブ本体３０が＋Ｚ方向の上端部（上死点）に配置された状態において、各部材の相互関係が説明される。
【００２５】
図２に示すように、アウターケース２０は、樹脂材料等により一体に形成されている。アウターケース２０は、＋Ｘ方向からの正面視で矩形状に形成される。アウターケース２０は、額部２２と、第２開口部２４と、筒部２６（図６参照）とを有する。額部２２は、アウターケース２０の外周部に沿って形成される。第２開口部２４は、アウターケース２０の中央部に形成される。第２開口部２４は、＋Ｘ方向からの正面視で矩形状に形成される。図６に示すように、筒部２６は、第２開口部２４の周縁部から−Ｘ方向に立設される。アウターケース２０は、インナーケース５０の第１開口部５５の周縁部を覆う。アウターケース２０は、第２開口部２４からノブ本体３０を露出させる。
【００２６】
（本体突起、ケース突起）
図３に示すように、ノブ本体３０は、複数の本体突起４０を有する。本体突起４０は、ノブ本体３０の張出部３４の−Ｚ方向の端部に形成される。本体突起４０は、張出部３４の＋Ｘ方向の表面に形成される。本体突起４０は、＋Ｘ方向からの正面視で矩形状に形成される。本体突起４０のＹ方向の長さは、Ｚ方向の長さより大きい。複数の本体突起４０のＹ方向の長さは、全て同じでも良いし、一部が異なってもよい。
【００２７】
図６に示すように、本体突起４０は、インナーケース５０の下部領域５４ａに向かって、＋Ｘ方向に突出する。本体突起４０は、＋Ｚ方向の上端であって＋Ｘ方向の先端である上端先端部４０ａを含む。本体突起４０は、−Ｚ方向の下端であって＋Ｘ方向の先端である下端先端部４０ｂを含む。本体突起４０の上端先端部４０ａは、下端先端部４０ｂより、張出部３４からの突出高さ（＋Ｘ方向の高さ）が大きい。本体突起４０の突出高さは、上端先端部４０ａから下端先端部４０ｂにかけて連続的に減少する。本体突起４０のＹ方向に直交する断面形状は、略三角形状である。
【００２８】
図７は、図６のＶＩＩ−ＶＩＩ線におけるインナーケースの断面図である。インナーケース５０は、複数のケース突起６０を有する。ケース突起６０は、インナーケース５０の第１開口部５５の下縁部の下部領域５４ａに形成される。ケース突起６０は、下部領域５４ａの−Ｘ方向の表面に形成される。ケース突起６０は、Ｚ方向に伸びる突条に形成される。ケース突起６０のＹ方向の長さは、Ｚ方向の長さより小さい。複数のケース突起６０のＹ方向の長さは、全て同じでも良いし、一部が異なってもよい。
【００２９】
図６に示すように、ケース突起６０は、ノブ本体３０に向かって、−Ｘ方向に突出する。ケース突起６０は、上半部６０Ａおよび下半部６０Ｂを有する。本願において上半部６０Ａおよび下半部６０Ｂは以下のように定義される。上半部６０Ａは、ケース突起６０のＺ方向の所定位置Ｐより＋Ｚ方向に配置される部分である。下半部６０Ｂは、ケース突起６０のＺ方向の所定位置Ｐより−Ｚ方向に配置される部分である。所定位置Ｐは、ケース突起６０のＺ方向の任意の位置であって、中央位置に限らない。上半部６０Ａは、＋Ｚ方向の上端であって−Ｘ方向の先端である上端先端部６０ａを含む。下半部６０Ｂは、＋Ｚ方向の上端であって−Ｘ方向の先端である上端先端部６０ｂを含む。ケース突起６０の上半部６０Ａは、下半部６０Ｂより、下部領域５４ａからの突出高さ（−Ｘ方向の高さ）が小さい。ケース突起６０の−Ｘ方向の高さは、上半部６０Ａと下半部６０Ｂとの間の所定位置Ｐで変化する。ケース突起６０のＹ方向に直交する断面形状は、階段形状である。
【００３０】
図３に示すように、複数の本体突起４０は、Ｙ方向に並んで配置される。本実施形態では、第１本体突起４２、第２本体突起４４、第３本体突起４６および第４本体突起４８の４個の本体突起４０が、この順でＹ方向に並んで配置される。
図７に示すように、複数のケース突起６０は、Ｙ方向に並んで配置される。本実施形態では、第１ケース突起６１、第２ケース突起６３、第３ケース突起６５、第４ケース突起６７および第５ケース突起６９の５個のケース突起６０が、この順でＹ方向に並んで配置される。
複数の本体突起４０および複数のケース突起６０は、Ｙ方向に沿って交互に配置される。すなわち本実施形態では、第１ケース突起６１、第１本体突起４２、第２ケース突起６３、第２本体突起４４、第３ケース突起６５、第３本体突起４６、第４ケース突起６７、第４本体突起４８、第５ケース突起６９の順で、Ｙ方向に沿って配置される。
【００３１】
図８は、図６のＶＩＩＩ−ＶＩＩＩ線における部分断面図である。Ｙ方向に隣り合う本体突起４０およびケース突起６０は、Ｙ方向に所定の隙間を置いて配置される。＋Ｚ方向（上方）から見て、本体突起４０のＹ方向の幅４０ｗは、ケース突起６０のＹ方向の幅６０ｗより大きい。ケース突起６０の上半部６０Ａの上端先端部６０ａは、本体突起４０の上端先端部４０ａと、略同じＸ方向の位置に配置される。ケース突起６０の下半部６０Ｂの上端先端部６０ｂは、本体突起４０の上端先端部４０ａより、−Ｘ方向（ノブ本体３０の近く）に配置される。
【００３２】
図６に示すように、ノブ本体３０が上死点に配置された状態において、本体突起４０の上端先端部４０ａは、アウターケース２０の第２開口部２４の−Ｚ方向の下縁部２５より、−Ｚ方向に配置される。アウターケース２０の筒部２６は、−Ｚ方向の下端であって−Ｘ方向の先端である下端先端部２７を含む。本体突起４０の上端先端部４０ａは、アウターケース２０の筒部２６の下端先端部２７より、わずかに−Ｚ方向に配置される。筒部２６の下端先端部２７は、ケース突起６０の上半部６０Ａの上端先端部６０ａと、略同じＸ方向の位置に配置される。
【００３３】
以上のように構成された操作ノブ装置１０の作用について説明する。ここでは、図６に示すアウターケース２０の第２開口部２４から、小物体としてコインが入り込んだ場合を例にして説明する。
コインは、アウターケース２０の筒部２６とノブ本体３０の張出部３４との間に入り込む。このとき、複数の本体突起４０がコインを受け止める。図８に示すように、本体突起４０のＹ方向の幅４０ｗは、ケース突起６０のＹ方向の幅６０ｗより大きい。そのため、隣り合う本体突起４０の隙間は小さい。したがって、インナーケース５０のケース突起６０とノブ本体３０の張出部３４との隙間にコインが落ち込むことはない。
【００３４】
図６に示すように、本体突起４０の上端先端部４０ａは、アウターケース２０の筒部２６の下端先端部２７より、わずかに−Ｚ方向に配置される。そのため、アウターケース２０と本体突起４０とのＺ方向の隙間は小さく、この隙間にコインが入り込むことはない。
【００３５】
操作ノブ装置が操作され、ノブ本体３０が−Ｚ方向に移動すると、複数の本体突起４０に受け止められたコインも−Ｚ方向に移動する。このとき、複数のケース突起６０がコインを受け止める。そのため、ノブ本体３０の本体突起４０とインナーケース５０の下部領域５４ａとの隙間にコインが落ち込むことはない。図８に示すように、ケース突起６０の下半部６０Ｂの上端先端部６０ｂは、本体突起４０の上端先端部４０ａより、−Ｘ方向に配置されている。そのため、ケース突起６０と本体突起４０との間に、Ｘ方向の隙間が生じない。これにより、複数のケース突起６０がコインを確実に受け止める。
【００３６】
このように、複数の本体突起４０および複数のケース突起６０が交互に配置されているので、ノブ本体３０とインナーケース５０との隙間から操作ノブ装置１０の内部へのコインの落下を防止できる。
【００３７】
以上に詳述した本実施形態のアームレスト８の操作ノブ装置１０は、以下の構成を備える。インナーケース５０は、第１開口部５５の下縁部の下部領域５４ａからノブ本体３０に向かって突出する複数のケース突起６０を備える。ノブ本体３０は、インナーケース５０の下部領域５４ａに向かって突出する複数の本体突起４０を備える。複数のケース突起６０と複数の本体突起４０とは、＋Ｚ方向（上方）から見て交互に配置されている。
コイン等の小物体が、インナーケース５０の第１開口部５５から操作ノブ装置１０に入り込む場合がある。この場合でも、交互に配置された複数の本体突起４０および複数のケース突起６０が、小物体を受け止める。これにより、ノブ本体３０とインナーケース５０との隙間から操作ノブ装置１０の内部への小物体の落下を防止できる。
【００３８】
ケース突起６０は、上半部６０Ａの突出高さが下半部６０Ｂの突出高さより低い。
上半部６０Ａの突出高さが低いので、インナーケース５０の第１開口部５５を通して、ケース突起６０が視認されにくくなる。したがって、操作ノブ装置１０の意匠性が向上する。
【００３９】
＋Ｚ方向（上方）から見た本体突起４０の幅は、＋Ｚ方向（上方）から見たケース突起６０の幅より大きい。
この場合、隣り合う本体突起４０の隙間が小さくなる。そのため、インナーケース５０のケース突起６０とノブ本体３０との隙間に小物体が落ち込むのを防止できる。
【００４０】
本体突起４０は、上端先端部（上端部）４０ａの突出高さが下端先端部（下端部）４０ｂの突出高さより高い。
上端先端部４０ａの突出高さが高いので、本体突起４０は小物体を確実に受け止める。下端先端部４０ｂの突出高さが低いので、ノブ本体３０を軽量化できる。
【００４１】
ケース突起６０の下半部６０Ｂの上端先端部（先端部）６０ｂは、本体突起４０の上端先端部（先端部）４０ａより、ノブ本体３０の近くに配置されている。
この構成によれば、ケース突起６０と本体突起４０との間に、Ｘ方向の隙間が生じない。したがって、小物体の落下を確実に防止できる。
【００４２】
インナーケース５０の第１開口部５５の周縁部を覆い、第２開口部２４から操作ノブ３２を露出させるアウターケース２０を備え、本体突起４０の上端先端部（上端部）４０ａは、第２開口部２４の下縁部２５より下方に配置されている。
本体突起４０の上端先端部４０ａが下方に配置されるので、アウターケース２０の第２開口部２４を通して、本体突起４０が視認されにくくなる。したがって、操作ノブ装置１０の意匠性が向上する。
【００４３】
なお、本発明の技術的範囲は上述した実施形態に限定されるものではなく、本発明の趣旨を逸脱しない範囲において、上述した実施形態に種々の変更を加えたものを含む。すなわち、上述した実施形態の構成はほんの一例に過ぎず、適宜変更が可能である。
【符号の説明】
【００４４】
８…アームレスト、１０…操作ノブ装置、２０…アウターケース（第２ケース）、２４…第２開口部、２５…下縁部、３０…ノブ本体、３２…操作ノブ、４０…本体突起、４０ａ…上端先端部（上端部、先端部）、４０ｂ…下端先端部（下端部）、４０ｗ…幅、５０…インナーケース（第１ケース）、５４ａ…下部領域、５５…第１開口部、６０…ケース突起、６０Ａ…上半部、６０Ｂ…下半部、６０ｂ…上端先端部（先端部）、６０ｗ…幅。
【図１】
0006667637.tif 000002
【図２】
0006667637.tif 000003
【図３】
0006667637.tif 000004
【図４】
0006667637.tif 000005
【図５】
0006667637.tif 000006
【図６】
0006667637.tif 000007
【図７】
0006667637.tif 000008
【図８】
0006667637.tif 000009